(57)【要約】【課題】  編集対象選択操作に連動して自動的にエフェクタの挿入されているチャンネル部の信号をモニタできるとともに、モニタ対象選択操作に応じて所望のチャンネル部の信号をモニタすることもできる、連動モードを設けたディジタルミキサ装置を提供する。【解決手段】  入力パッチ部３，出力パッチ部８は、複数のエフェクタ部１１の各エフェクタを、複数の入力チャンネル部４，複数のミックス出力チャンネル部７の任意のチャンネル部に挿入する結線を行う。連動モードに設定されている場合、連動制御部１５は、エフェクタ編集設定部１２において、編集対象選択操作に応じてエフェクタ１１（ｘ）が選択されたときは、モニタ部１６を制御することにより、エフェクタ１１（ｘ）が挿入されている先のチャンネル部の信号をCUEバス６に出力するように制御し、これをモニタ用ミキサ１８に供給する。【選択図】図１
2006033166.tif 000002
【特許請求の範囲】
【請求項１】
信号を入力し該信号の特性を制御する複数の入力チャンネル部の出力信号をミキシングして出力するディジタルミキサ装置であって、
モニタ対象選択操作に応じて、前記複数の入力チャンネル部のうちの１または複数のチャンネル部の信号をモニタ出力に出力するモニタ手段と、
複数のエフェクタと、
該複数のエフェクタのそれぞれについて、挿入対象指定操作に応じて、当該エフェクタを、前記複数の入力チャンネル部のうちの前記挿入対象指定操作で指定されたチャンネル部に挿入させるエフェクタ挿入設定手段と、
編集対象選択操作に応じて、前記複数のエフェクタのうちの前記編集対象選択操作で選択されたエフェクタの編集画面を表示器に表示させながら、該エフェクタを編集する編集設定手段と、
連動モードおよび非連動モードの何れか一方のモードを設定するモード手段と、
前記連動モードに設定されている場合は、前記編集設定手段において前記編集対象選択操作に応じて１つのエフェクタが選択されたとき、当該エフェクタが挿入されているチャンネル部の信号をモニタ出力するよう前記モニタ手段を制御する一方、前記非連動モードに設定されている場合は、前記編集設定手段において前記編集対象選択操作に応じて１つのエフェクタが選択されたとき、前記モニタ手段に対する制御を行わない連動制御手段と
を有することを特徴とするディジタルミキサ装置。
【請求項２】
信号を入力し該信号の特性を制御する複数の入力チャンネル部の出力信号を複数のバスでミキシングして、該複数のバスに対応する複数の出力チャンネル部から出力するディジタルミキサ装置であって、
モニタ対象選択操作に応じて、前記複数の入力チャンネル部および複数の出力チャンネル部のうちの１または複数のチャンネル部の信号をモニタ出力に出力するモニタ手段と、
複数のエフェクタと、
該複数のエフェクタのそれぞれについて、挿入対象指定操作に応じて、当該エフェクタを、前記複数の入力チャンネル部および複数の出力チャンネル部のうちの前記挿入対象指定操作で指定されたチャンネル部に挿入させるエフェクタ挿入設定手段と、
編集対象選択操作に応じて、前記複数のエフェクタのうちの前記編集対象選択操作で選択されたエフェクタの編集画面を表示器に表示させながら、該エフェクタを編集する編集設定手段と、
連動モードおよび非連動モードの何れか一方のモードを設定するモード手段と、
前記連動モードに設定されている場合は、前記編集設定手段において前記編集対象選択操作に応じて１つのエフェクタが選択されたとき、当該エフェクタが挿入されているチャンネル部の信号をモニタ出力するよう前記モニタ手段を制御する一方、前記非連動モードに設定されている場合は、前記編集設定手段において前記編集対象選択操作に応じて１つのエフェクタが選択されたとき、前記モニタ手段に対する制御を行わない連動制御手段と
を有することを特徴とするディジタルミキサ装置。
【請求項３】
前記挿入対象指定操作では、何れのチャンネル部にも挿入しないという指定を行うことも可能であり、
前記連動制御手段は、前記連動モードに設定されている場合に、前記編集設定手段において前記編集対象操作に応じて１つのエフェクタが選択されたとしても、当該エフェクタが何れのチャンネル部にも挿入されていなければ、前記モニタ手段に対する制御を行わないこと
を特徴とする請求項１または請求項２に記載のディジタルミキサ装置。
【発明の詳細な説明】
【技術分野】
【０００１】
本発明は、エフェクタを備えたディジタルミキサ装置に関するものである。
【背景技術】
【０００２】
複数チャンネルのオーディオ信号を、それぞれ複数の入力チャンネル信号処理部（以下、入力チャンネル部という）に入力し、各入力チャンネル部の信号をディジタルミキシング（混合）して１または複数のミックス出力チャンネル信号処理部（以下、ミックス出力チャンネル部という）を経て出力するディジタルミキサ装置が知られている（非特許文献１参照）。
そのディジタルミキシングに際し、操作者は、各入力チャンネル部およびまたは各ミックス出力チャンネル部の任意のチャンネル部に、内蔵あるいは外付けのエフェクタを挿入して、オーディオ信号に種々のエフェクト（効果）を付加することができる。
操作者は、また、表示器に当該エフェクタの編集画面を呼び出して、当該エフェクタのパラメータを編集することができる。
【０００３】
その際、編集処理中のエフェクタを通った信号をモニタし、そのエフェクタによる信号の特性を知りたい場合がある。特に、編集対象として所定のエフェクタを選択操作したときには、このエフェクタを通った信号をモニタしたい。
操作者は、まず、そのエフェクタの挿入されているチャンネルを確認した上で、次に、そのチャンネルの信号がキュー（CUE）される状態にモニタを設定する必要があるので、操作が煩雑であった。
特に、制御パネルの大きさの制約から、各チャンネルの操作部がレイヤ構造のチャンネル・ストリップ（chストリップ）になっている場合、レイヤを切り替えなければ、任意のチャンネルのCUEオン・スイッチを操作できなかった。
【非特許文献１】「CS1D 操作マニュアル（基本操作編），（ソフトウエア編）Ver．1．41」、［online］、ヤマハ株式会社、インターネット＜http：//www2.yamaha.co.jp/manual/pdf/pa/japan/mixers/CS1DJ.pdf＞
【発明の開示】
【発明が解決しようとする課題】
【０００４】
本発明は、上述した問題点を解決するためになされたもので、編集対象選択操作に連動して自動的に当該エフェクタの挿入されているチャンネル部の信号をモニタできるとともに、従来と同様にモニタ対象選択操作に応じて所望のチャンネル部の信号をモニタすることもできる、連動モードを設けたディジタルミキサ装置を提供することを目的とするものである。
【課題を解決するための手段】
【０００５】
本発明は、請求項１に記載の発明においては、ディジタルミキサ装置であって、モニタ手段と、複数のエフェクタと、該複数のエフェクタのそれぞれについて、挿入対象指定操作に応じて、当該エフェクタを、複数の入力チャンネル部のうちの前記挿入対象指定操作で指定されたチャンネル部に挿入させるエフェクタ挿入設定手段と、編集対象選択操作に応じてエフェクタを編集する編集設定手段と、連動モードおよび非連動モードの何れか一方のモードを設定するモード手段と、前記連動モードに設定されている場合は、前記編集対象選択操作に応じて１つのエフェクタが選択されたとき、当該エフェクタが挿入されているチャンネル部の信号をモニタ出力するよう前記モニタ手段を制御する一方、前記非連動モードに設定されている場合は、前記編集対象選択操作に応じて１つのエフェクタが選択されたとき、前記モニタ手段に対する制御を行わない連動制御手段とを有するものである。
従って、連動モード、非連動モードのいずれのモードであっても、従来と同様に、操作者がモニタ対象選択操作を行うことにより、所望の入力チャンネルをモニタ（CUE）する機能を備えている。
上述した従来の機能に加えて、連動モードに設定されている場合は、複数のエフェクタの１つを編集対象として選択することにより、そのエフェクタの挿入されている入力チャンネルを自動的にモニタ（CUE）することができる。すなわち、モニタ対象選択操作をしなくても、当該入力チャンネルが自動的にモニタ出力される。
従って、そのエフェクタを通った信号を自動的にモニタするための操作が簡単になる。仮に、当該チャンネルの、エフェクタを通る前の信号がモニタ出力される状態に設定されていたとしても、この状態からエフェクタを通った信号がモニタ出力されるように設定を切り替える操作は簡単である。
また、非連動モードに設定すれば、従来のディジタルミキサ装置と同様に、編集対象としてエフェクタが選択されても、それに応じてモニタ（CUE）の状態が変化しないので、従来と同じ操作感覚でディジタルミキサ装置を扱うことができるという効果がある。
【０００６】
請求項２に記載の発明においては、ディジタルミキサ装置であって、モニタ手段と、複数のエフェクタと、該複数のエフェクタのそれぞれについて、挿入対象指定操作に応じて、当該エフェクタを、複数の入力チャンネル部および複数の出力チャンネル部のうちの前記挿入対象指定操作で指定されたチャンネル部に挿入させるエフェクタ挿入設定手段と、編集対象選択操作に応じてエフェクタを編集する編集設定手段と、連動モードおよび非連動モードの何れか一方のモードを設定するモード手段と、前記連動モードに設定されている場合は、前記編集対象選択操作に応じて１つのエフェクタが選択されたとき、当該エフェクタが挿入されているチャンネル部の信号をモニタ出力するよう前記モニタ手段を制御する一方、前記非連動モードに設定されている場合は、前記編集対象選択操作に応じて１つのエフェクタが選択されたとき、前記モニタ手段に対する制御を行わない連動制御手段とを有するものである。
従って、エフェクタの挿入されているチャンネルが出力チャンネルであっても、請求項１に記載の発明と同様の作用効果を奏する。
【０００７】
請求項３に記載の発明においては、請求項１または請求項２に記載のディジタルミキサ装置において、前記挿入対象指定操作では、何れのチャンネル部にも挿入しないという指定を行うことも可能であり、前記連動制御手段は、前記連動モードに設定されている場合に、前記編集設定手段において前記編集対象操作に応じて１つのエフェクタが選択されたとしても、当該エフェクタが何れのチャンネル部にも挿入されていなければ、前記モニタ手段に対する制御を行わないものである。
従って、連動モードであったとしても、選択されたエフェクタが何れの入力チャンネルにも挿入されていなければ、そのエフェクタを選択してもモニタ（CUE）の状態を変化させないようにできる。
【０００８】
上述した各請求項に記載のディジタルミキサ装置において、前記エフェクタは、操作者によってエフェクタ機能のオンオフを制御されるものである場合がある。前記連動制御手段は、編集対象選択操作に応じて選択されたエフェクタの機能のオンオフ状態にかかわらず、当該エフェクタが挿入されているチャンネル部の信号をモニタ出力させる機能を持つことができる。
このような構成にすれば、編集対象選択操作に応じて選択されたエフェクタの挿入によって信号がどのよう変化するかを、容易に確かめることが可能になるので、エフェクタの編集が容易になる。
【発明の効果】
【０００９】
本発明によれば、連動モードを設定すれば、編集対象選択操作に連動して自動的に当該エフェクタの挿入されているチャンネル部の信号をモニタできるとともに、従来と同様に、操作者によるモニタ対象選択操作に応じて所望の１または複数のチャンネル部の信号をモニタすることもできるという効果がある。非連動モードに設定すれば、従来と同じ使用感覚でディジタルミキサ装置を扱うことができるという効果がある。
【発明を実施するための最良の形態】
【００１０】
図１は、本発明の実施の一形態であるディジタルミキサ装置の信号処理あるいは機能のブロック図である。
この実施の形態のディジタルミキサ装置は、信号を入力し、この信号の特性を制御する複数の入力チャンネル部４の出力信号を、複数のミックス出力チャンネル部７で、個別にミキシンングし、ミキシングした信号の特性を制御して出力する。
【００１１】
図中、１はＡ（アナログ信号）入力部であり、複数の入力端子からアナログ信号を入力し、それぞれ、A/D変換して出力する。２はＤ（ディジタル信号）入力部であり、複数の入力端子からディジタル信号を入力してそれぞれを出力する。
入力パッチ部３は、パッチ制御部１３により制御されて、入力部（Ａ入力部１，Ｄ入力部２）からの複数の出力のそれぞれを入力チャンネル部４の48チャンネルの各入力の少なくとも１つに選択的に結線する（１つの出力は複数の入力チャンネル部４に結線できる）。
それととともに、エフェクタ部１１の各エフェクタ１１（ｘ）（ｘは例えばx＝1，2，3，…，12）を、複数の入力チャンネル部４あるいは複数のミックス出力チャンネル部７の任意のチャンネル部の挿入位置へ挿入するための結線を行う。
【００１２】
各入力チャンネル部４は、入力した信号の特性を制御して、出力信号を選択的に複数（12本）のミックスバス５の少なくとも１つに出力する。このミックスバス５において信号が混合されることになる。各ミックスバス５の信号は、ミックスバス５に１対１対応する複数（12チャンネル）のミックス出力チャンネル部７に入力される。
この複数のミックス出力チャンネル部７において、ミックスバス５から入力した混合信号の特性を制御して、出力パッチ部８に出力する。
【００１３】
出力パッチ部８は、パッチ制御部１３により制御されて、ミックス出力チャンネル部７の12チャンネルの出力を、Ａ（アナログ信号）出力部９およびＤ（ディジタル信号）出力部１０の、複数ある入力の少なくとも１つに選択的に結線する（１つミックス出力チャンネル部７の出力は出力部の複数の入力に結線できる）。
それととともに、出力パッチ部８は、エフェクタ部１１の個々のエフェクタ１１（ｘ）を入力チャンネル部４またはミックス出力チャンネル部７の挿入位置へ挿入するための結線を行う。
Ａ出力部９は、複数のディジタル信号を、D/A変換器によりアナログ信号に変換した上で、それぞれ、複数の出力端子に出力する。Ｄ出力部１０は、複数のディジタル信号を、それぞれ、そのまま、複数の出力端子に出力する。
【００１４】
説明の簡略化のため、エフェクタ部１１は、複数個（12個）の同一種類のエフェクタ１１（ｘ）（例えば、モノラル構成のグラフィック・イコライザ）で構成されるものとする。なお、外付けのエフェクタであるときは、外付けの端子を介して入力パッチ部３および出力パッチ部８に接続される。
各エフェクタ１１（ｘ）を、どの入力チャンネル部４あるいはミックス出力チャンネル部７に挿入するか、および、そのチャンネル部の信号経路中のどの位置に挿入するかは、操作者による挿入先選択操作に応じて設定できる。信号経路中には、エフェクタを挿入するためのインサーション・アウト・ポイント，インサーション・イン・ポイントが設けられている。
【００１５】
図示の例において、あるエフェクタ１１（ｘ）を所望のエフェクタ挿入位置４ａまたは７ａに挿入しようとする場合は、入力パッチ部３および出力パッチ部８における結線を、パッチ制御部１３により制御して行う。
ただし、各エフェクタ部１１には、図２を参照して後述するように、エフェクタ・オン・スイッチ１１ａ（ｘ）があり、これがオンの場合にのみ、挿入されたエフェクタ１１（ｘ）が機能し、これがオフの場合に、当該エフェクタ１１（ｘ）は「スルー」される（当該エフェクタ１１（ｘ）は、切り離され、当該エフェクタ１１（ｘ）への入力側が当該エフェクタ１１（ｘ）の出力側に直結される）。
【００１６】
各入力チャンネル部４および各ミックス出力チャンネル部７には、それぞれ、CUEスイッチ４ｂ，７ｂが設けられ、これがオンのとき、信号経路における、ある取り出し位置（CUEポイント）の信号をCUEバス６に出力する。
モニタ部１６は、モニタ設定部１７およびモニタ用ミキサ１８を有する。CUEスイッチ４ｂ，７ｂの設定は、モニタ設定部１７において、操作者によるCUEモニタ対象選択操作に応じて行われる。
CUEバス６において、１つの信号または複数の信号が混合されて、モニタ用ミキサ１８に入力される。
【００１７】
モニタ用ミキサ１８において、通常のモニタ信号は、例えば、出力パッチ部８に供給されているミックス出力チャンネル部７の出力信号などのうち、任意の１ないし複数の信号が選択的に混合されて出力される。選択は、モニタ設定部１７において、操作者によるモニタ対象選択操作に応じて行われる。
このモニタ信号は、モニタ用Ａ（アナログ信号）出力部１９に出力され、D/A変換器によりアナログ信号に変換され、操作者用モニタ（スピーカあるいはヘッドフォン）に供給される。
【００１８】
ここで、CUEモニタが設定されると、通常のモニタ信号に代わってCUEバス６から供給される信号がモニタ信号として出力される。
すなわち、モニタ対象選択操作により選択された信号がモニタされている状態において、CUEモニタ対象選択操作に応じて、モニタ設定部１７が、入力チャンネル部４のいずれかのCUEスイッチ４ｂ、または、ミックス出力チャンネル部７のいずれかのCUEスイッチ７ｂをオンに設定したとする。
すると、それまで操作者用モニタに供給されていた信号、例えば、ミックス出力チャンネル部７からの信号などがオフまたは減衰され、その代わりに、CUEバス６からの信号が出力されるように、モニタ用ミキサ１８が制御される。
【００１９】
以下、モニタ設定部１７によりモニタ対象として選択された信号がモニタされている通常のモニタ状態を「CUEオフ状態」と呼び、その信号が、モニタ用ミキサ１８においてオフまたは減衰されてCUEバス６からの信号がモニタ（CUEモニタ）されている状態を「CUEオン状態」（CUE ACTIVE）と呼ぶ。
なお、CUEモニタ専用の出力端子を備える場合もあり、この場合、CUEバス６の混合信号は、モニタ用Ａ出力部１９ではなく、常時、この専用の出力端子に出力される。
上述した各エフェクタ１１の特性は、操作者によって編集設定できる。エフェクタ編集設定部１２が起動されているときは、エフェクタの編集画面を図示しない表示器に表示させる。操作者による編集対象選択操作に応じて、複数のエフェクタ１１の中から編集対象が設定される。操作者は表示器を見ながら、エフェクタのパララメータを変更できる。
【００２０】
モード部１４は、操作者によるモード選択操作に応じて、連動モードまたは非連動モードの何れか一方のモードを設定する。
連動モードに設定されている場合、連動制御部１５は、エフェクタ編集設定部１２において、操作者による編集対象選択操作に応じて所定のエフェクタ（以後、当該エフェクタという）１１（ｘ）が選択されたときは、モニタ部１６（モニタ設定部１７）を制御することにより、当該エフェクタ１１（ｘ）が挿入されている先のチャンネル部（入力チャンネル部４または出力チャンネル部７）の信号経路上の信号をCUEバス６に出力するようにCUEスイッチ４ｂまたは７ｂを制御し、これをCUEモニタ（連動CUEモニタ）信号としてモニタ用ミキサ１８に供給する。
当該エフェクタ１１（ｘ）が挿入されている先のチャンネル部がいずれのチャンネル部であるかの情報は、パッチ制御部（エフェクタ挿入設定部）１３から得られる。
モニタ用ミキサ１８においては、通常のモニタ信号よりもCUEモニタ信号を優先して出力する。従って、当該エフェクタ１１（ｘ）が挿入されている先のチャンネル部の信号経路上の信号が、モニタ用Ａ出力部１９から出力され、操作者用モニタに供給される。
【００２１】
一方、非連動モードに設定されている場合、連動制御部１５は、エフェクタ編集設定部１２において編集対象選択操作に応じて当該エフェクタ１１（ｘ）が選択されたときでも、モニタ設定部１７に対する制御を行わない。
モニタ設定部１７は、非連動モードが設定されているときはもちろん、連動モードが設定されているときでも、連動制御部１５により制御されるときでなければ、従来と同様に、操作者による、通常のモニタ対象選択操作またはCUEモニタ対象選択操作に応じて選択されるチャンネル部の信号経路上の信号を、モニタ用ミキサ１８を介して、モニタ用Ａ出力部１９から出力させる。
【００２２】
以上の通り、連動モードに設定されているときに、編集対象選択操作に応じて当該エフェクタ１１（ｘ）が選択されたときには、その編集画面を、図示しない表示器に表示させるとともに、選択された当該エフェクタ１１（ｘ）が、そのパラメータに基づいて処理したオーディオ信号の音を、操作者用モニタで確かめることができる。従って、操作者は、CUEモニタ対象選択操作，モニタ対象選択操作を行わなくて済む。従来と同じ操作感覚でディジタルミキサ装置を扱いたいときは、非連動モードに設定すればよい。
【００２３】
その際、選択操作された当該エフェクタ１１（ｘ）のエフェクタ・オン・スイッチ１１ａ（ｘ）がオンにされている場合に限らず、オフにされていて選択操作された当該エフェクタ１１（ｘ）が機能していない場合でもモニタされるように、モニタ設定部１７を自動設定するとよい。
選択操作された当該エフェクタ１１（ｘ）のパラメータ編集画面には、エフェクタ・オン・スイッチ１１ａ（ｘ）をオンオフするボタン（図５の７７）も配置されているので、仮にエフェクタ・オン・スイッチ１１ａ（ｘ）がオフにされていても、それをオンにすることは容易である。
また、エフェクタ・オン・スイッチ１１ａ（ｘ）のオンオフを交互に切替えながらモニタし、エフェクタの効果を確認しながら、選択操作されたエフェクタのパラメータの編集を行うことができる。
【００２４】
図２（ａ）は図１に示した入力チャンネル部４、図２（ｂ）はミックス出力チャンネル部７の各１チャンネルの信号処理部を示すブロック構成図である。エフェクタ１１（ｘ）は、一例としてGEQ（グラフィック・イコライザ）であるとして説明する。
図２（ａ）において、まず、エフェクタ１１（ｘ）が挿入されていないときの信号経路を説明する。
入力パッチ部３から当該入力チャンネル部４に入力される信号は、ATT（減衰器）２１においてレベル調整される。次いで、４バンドPEQ（パラメトリック・イコライザ）２２において周波数特性が調整される。
【００２５】
COMP（コンプレッサ）２３では、入力される信号のレベルを検出し、検出されたレベルに基づき、小信号のゲインに比べ大信号入力時のゲインを下げるように振幅圧縮が行われる。
フェーダ部２４においては、ミキシングのためのレベル調整が行われる。
chオンスイッチ２５において、この入力チャンネル部４の出力供給のオンオフが制御される。
さらに、各バスへのセンド調整部２６において、複数の各ミックスバス５への出力信号供給のオンオフ制御、供給レベルの調整が行われる。ペアとなるミックスバスへの出力信号のゲイン比率を調整するパン制御が行われることもある。
【００２６】
次に、ある１つのエフェクタ１１（ｘ）が挿入される場合、エフェクタ１１（ｘ）は、その挿入先のチャンネル部の信号経路上に予め決められている複数のインサーション・ポイント（×印のある位置）のうちから選択された挿入位置４ａに挿入される。この入力チャンネル部の信号経路は、挿入位置４ａで切断され、その挿入位置４ａの直前のインサート・アウトの出力は、出力パッチ部８によりエフェクタ１１（ｘ）の入力に結線され、エフェクタ１１（ｘ）の出力は、入力パッチ部３により挿入位置４ａの直後のインサート・インの入力側に結線される。
【００２７】
エフェクタ１１（ｘ）は、エフェクタ・オン・スイッチ１１ａ（ｘ）を備え、エフェクタ１１（ｘ）が挿入されているときでも、そのエフェクタ・オン・スイッチ１１ａ（ｘ）をオフにすれば、その機能をオフにし、エフェクタ１１（ｘ）が挿入されていないときと同じ状態、すなわち、入出力が直結されて、インサート・アウトからの信号がそのままインサート・インに入る（「スルー」する）ように制御される。
エフェクタ・オン・スイッチ１１ａ（ｘ）がオンであれば、このエフェクタ１１（ｘ）の挿入先として設定された入力チャンネル部では、設定された挿入位置４ａの前のブロックの出力信号をそのエフェクタ１１（ｘ）に供給し、そのエフェクタ１１（ｘ）はその信号に対して効果を付与し、効果の付与された信号は、設定された挿入位置４ａの次ブロックへ供給される。
【００２８】
一方、モニタ設定部１７におけるCUEポイント設定に応じて、CUE設定スイッチ２７において、各入力チャンネル部４におけるフェーダ部２４の前位置、後位置、chオンスイッチ２５の後位置等、がCUEポイントとして設定され、CUEスイッチ４ｂを経由して、CUEバス６に供給される。ここで、CUEポイント設定操作は、入力チャンネル部４毎に独立して行われてもよいし、全ての入力チャンネル部４で共通して行われてもよい。
【００２９】
上述した説明は、図２（ｂ）に示すミックス出力チャンネル部７についても、ほぼ同様である。ただし、ミックス出力チャンネル部７の信号の出力先は出力パッチ部８であり、ミックスバス５へは出力しないので、センド調整部は備えていない。また、CUEポイントとしては、各ミックス出力チャンネル部のフェーダ部３３の前位置、後位置、chオンスイッチ３４の後位置等、が選択可能であり、CUE設定スイッチ３５において選択されたCUEポイントからの信号が、CUEスイッチ７ｂを経由して、CUEバス６に供給される。
【００３０】
図３は、図１に示した実施の一形態のコントロールパネルの一部を示す説明図である。
本発明に関係しない操作子は省略している。
図中、４１はディスプレイアクセス部であり、複数の異なるパラメータ編集画面に対応した複数のスイッチが配列されている。各スイッチの操作に応じて、操作されたスイッチに対応したパラメータ編集画面が表示器（ディスプレイ）４２に表示される。
【００３１】
４３1，４３2，４３3，…は、複数（図示の例では12本）のchストリップである。レイヤセクション部４４にある複数のレイヤSW（「マスタ」，「レイヤ１」，「レイヤ２」，…，「レイヤ４」）の中の１つを操作することにより、chストリップ４３1，４３2，４３3，…に、チャンネル部（入力チャンネル部４またはミックス出力チャンネル部７）の一部が割り当てられる。
「マスタ」レイヤが選択されているときは第1〜第12ミックス出力チャンネル、「レイヤ１」〜「レイヤ４」が選択されているときは「第1〜第12入力チャンネル」〜「第37〜第48入力チャンネル」が、それぞれ、chストリップ４３1，４３2，４３3，…に割り当てられる。
【００３２】
各chストリップ４３1，４３2，４３3，…内の操作子は、全てのchストリップに共通であるので、chストリップ４３1内の操作子について説明する。
４３ａは、図２に示したchオンスイッチ２５，３４に相当する操作子である。
４３ｂはチャンネルフェーダ（chフェーダ）、４３ｃはその摘みであり、割り当てられているチャンネルの信号のレベルを制御する。
４３ｄは、図１，図２に示した４ｂ，７ｂに相当するCUEスイッチである。自照式であり、CUEスイッチがオン状態になっているチャンネルのCUEスイッチ４３ｄは点灯し、その他のオフ状態のCUEスイッチ４３ｄは消灯する。
【００３３】
CUE機能は、「ラストCUE」と「ミックスCUE」のいずれかのモードで動作する。以下、「ラストCUE」の場合を説明する。
「ラストCUE」では、CUEモニタ対象として、最後に選択されたチャンネルのみがCUEモニタされる。
「CUEオフ状態」において、あるchストリップ（例えば、４３1）のCUEスイッチ４３ｄが操作されたとき、すなわち、そのchストリップに割り当てられているチャンネル（「レイヤ２」が選択されているとき、第１入力チャンネルとなる）がCUEモニタ対象として選択されたとき、モニタ用ミキサ１８を「CUEオフ状態」から「CUEオン状態」に移行させるとともに、その選択されたチャンネル（第１入力チャンネル）のCUEスイッチ４ｂまたは７ｂ（CUEスイッチ４ｂ）がオンされる。
【００３４】
また、「CUEオン状態」において、CUEスイッチ４３ｄがオフ状態のchストリップ（例えば、４３2）のCUEスイッチ４３ｄが操作されたとき、すなわち、現在、CUEモニタ対象として選択されているチャンネル（第１入力チャンネル）とは別のチャンネル（例えば、第２入力チャンネル）が選択されたとき、それまでCUEモニタ対象として選択されていたチャンネル（第１入力チャンネル）のCUEスイッチ４ｂまたは７ｂがオフされるとともに、新たに選択されたチャンネル（第２入力チャンネル）のCUEスイッチ４ｂまたは７ｂ（CUEスイッチ４ｂ）がオンされる。
【００３５】
さらにまた、「CUEオン状態」において、CUEスイッチ４３ｄがオン状態のchストリップ（例えば、４３1）のCUEスイッチ４３ｄが操作されたとき、すなわち、現在、CUEモニタ対象として選択されているチャンネル（「レイヤ２」が選択されているとき、第１入力チャンネルとなる）が再び選択されたとき、そのチャンネルのCUEスイッチ４ｂまたは７ｂ（CUEスイッチ４ｂ）をオフにするとともに、モニタ用ミキサ１８を「CUEオン状態」から「CUEオフ状態」に移行させる。すなわち、同じCUEスイッチ４３ｄを続けて操作すると、対応するCUEスイッチ４ｂまたは７ｂ（CUEスイッチ４ｂ）がトグルでオンオフされる。
【００３６】
４５ａ〜４５ｄは、カーソルスイッチである。表示器４２に表示されたものを指示するポインティングデバイスであって、数値やテキストの入力枠に置かれるカーソルや、ボタン型操作子やフェーダ型操作子へのフォーカス等を移動させる。これらとともに、あるいはこれに代えて、タッチパッドやマウスなどのポインティングデバイスを用いることもできる。
DEC（デクリメント）スイッチ４６，INC（インクリメント）スイッチ４７は、ポインティングデバイスにより指示された数値を増減させたり、指示されたボタン型操作子をオンオフさせたり、指示されたフェーダ型操作子等の操作量を変化させたりして、対応するパラメータ値を設定する。
４８は、ロータリーエンコーダ（パラメータホイール）であって、同様に、指示された数値を増減させたり、指示された操作子を操作させたりして、対応するパラメータ値を設定する。
ENTERスイッチ４９は、指示されたボタン型操作子をオンオフさせて、対応するパラメータ値を設定したり、指示された操作子のポップアップウインドウを開いたりする。
【００３７】
図４は、図１に示した信号処理または機能を実現するディジタルミキサ装置のハードウェア構成の一例を示すブロック構成図である。
図中、５１はバス、５２はCPU（Central Processing Unit）である。５３はフラッシュメモリであり、制御プログラムやプリセットデータが書換え可能に記憶されている。RAM（Random Access Memory）５４に制御プログラムをロードしてから実行するようにしてもよい。
CPU５２が、この制御プログラムを実行することにより、図１に示したエフェクタ編集設定部１２、パッチ制御部１３、モード部１４、連動制御部１５、モニタ設定部１７等の機能を実現するとともに、ディジタルミキサ装置の装置全体を制御する。
RAM５４には、ワーキングメモリ領域を設ける。この領域には、図３に示したコントロールパネル上の各種の操作子等によって設定される、エフェクタのパラメータをはじめとする各種パラメータの現在値を含む、ディジタルミキサ装置の現在の動作を制御するための動作データを記憶するカレントメモリ領域が含まれる。
【００３８】
５５は表示器であって、図３に示した表示器４２の他、図１，図２に示したCUEスイッチ４ｂ，７ｂ（図３ではCUEスイッチ４３ｄ）等、各種スイッチに設けられた発光ダイオードを含む。
５６は電動フェーダであり、図３に示したchフェーダ４３ｃに対応する。５７はその他の操作子である。
５８はアナログやディジタルの波形信号を、外部から入力してディジタル信号処理部（DSP）６０に送ったり、DSP６０から受け取った信号を外部へ出力したりするための波形入出力インタフェース部であって、図１に示したＡ入力部１、Ｄ入力部２、Ａ出力部９、Ｄ出力部１０、モニタＡ出力部１９等を含む。
５９は操作者用モニタであって、DSP６０から出力されるモニタ信号を、波形入出力インタフェース部５８内のモニタ用Ａ出力部１９を介して入力し、スピーカあるいはヘッドフォンで操作者にモニタさせる。
【００３９】
DSP６０は、図１に示した入力パッチ部３，複数の入力チャンネル部４，ミックスバス５，CUEバス６，複数のミックス出力チャンネル部７，出力パッチ部８，モニタ用ミキサ１８等で表される信号処理の機能を実現する。
６１は、その他の入出力インタフェース部であって、例えば、ここに外部接続されたパーソナルコンピュータ上で当該ディジタルミキサ装置の制御アプリケーションを起動し、該パーソナルコンピュータの表示器に表示される画面において、マウス等を用いて、図示の本体側の動作を遠隔制御することができる。
【００４０】
図５は、図１に示した実施の一形態において、エフェクタを編集設定する一具体例を示す表示画面の説明図である。この実施の形態では、挿入されるエフェクタは、モノラル構成のグラフィック・イコライザ（GEQ）である。
図中、７１はGUI（Graphical User Interface）を用いてGEQのパラメータを編集するGEQ編集画面であり、図３に示したディスプレイアクセス部４１の複数のスイッチのうち、これに対応したものを操作することにより、表示器４２に表示される。
タブ７２ａは、表示されている画面がGEQパラメータの編集画面であることを示している。
タブ７２ｂは、GEQアサインの画面に移動するためのタブである。GEQアサインの画面の図示は省略するが、当該ディジタルミキサ装置が備える全12個のGEQの情報が一度に表示される画面であり、この画面では12個のGEQの挿入チャンネル、GEQのオンオフ等を、相互に比較しながら設定することができる。
【００４１】
７３はGEQ選択ボタン、７４は選択された当該GEQ（x）の番号xを表示する表示部である。
図３に示したカーソルスイッチ４５ａ〜４５ｄを操作すると、GEQ編集画面７１上に表示されているフォーカス（例えば、赤い枠で表示されるが、図示していない）が、ボタンあるいはGEQフェーダの表示部品（ユーザインタフェース部品）の位置を順次移動して行き、どのボタンあるいはGEQフェーダが選択されるのかを示す。
GEQ選択ボタン７３を選択した後、図３に示したENTERスイッチ４９を操作すると、ポップアップウインドウが開き、エフェクタGEQ（1）〜GEQ（12）のリストが表示される。
カーソルスイッチ４５ａ〜４５ｄを操作することにより、リスト上から所望のエフェクタを指定し、ENTERスイッチ４９を操作すると、編集対象の当該GEQ（x）を選択することができる。ここで、当該GEQ（x）を変更したいときは、カレントメモリに記憶されている現在の当該GEQ（x）とは異なるものを選択すればよい。
表示部７４に、当該GEQ（x）の番号xが表示されるとともに、GEQ編集画面７１上の各種ボタン、フェーダ、周波数特性等の表示は、全てその選択された当該GEQ（x）の設定状態に応じた表示に変更される。
【００４２】
７５は挿入チャンネル選択ボタン、７６は現在、選択されている当該GEQ（x）の挿入先として設定されているチャンネルの番号（ICH（x））を表示する表示部である。
挿入チャンネル選択ボタン７５のポップアップウインドウを開き、CH1〜CH48，MIX1〜MIX12，NO ASSIGNのリストが表示される。CH1とは異なるチャンネルを選択したときは、その選択されたチャンネルが当該GEQ（x）の挿入先として設定されるとともに、表示部７６にそのチャンネルの番号が表示される。
【００４３】
７７は当該GEQ（x）の機能をオンオフするエフェクタ・オン・ボタン「GEQ ON」である。図２を参照して説明したエフェクタ・オン・スイッチ１１ａ（x）に相当する。エフェクタ・オン・ボタン７７を指示し、さらに、ENTERスイッチ４９の操作でオンオフを反転したり、あるいは、DECスイッチ４６の操作でオフに設定したり、INCスイッチ４７の操作でオンに設定したりすることができる。
エフェクタ・オン・ボタン７７がオフであっても、当該GEQ（x）の設定（パラメータの値）はカレントメモリに記憶されており、エフェクタ・オン・ボタン７７がオンされれば、その設定に基づく当該GEQ（x）の処理が、図４のDSP６０で直ちに開始される。オンかオフかは、オンオフによって変化するボタンの色等で判別できる。
【００４４】
８２は、20Hzから20kHzまでが31分割された各周波数帯域にゲインを設定する複数のイコライザ・フェーダ（EQフェーダ）の表示領域である。
８１は、カレントメモリに記憶されている当該GEQ（x）の各種パラメータにより制御された当該GEQ（x）の周波数特性をグラフ表示する領域である。
８０は、当該GEQ（x）により処理されて出力される当該GEQ（x）の出力信号の周波数スペクトルの表示領域である。当該GEQ（x）が挿入されているポイントを通過する信号の周波数スペクトルが表示される。エフェクタ・オン・ボタン７７がオフのときは、当該GEQ（x）が「スルー」されるので、当該GEQ（x）への入力側が当該当該GEQ（x）の出力側に直結されている状態における、挿入ポイントを通過する信号の周波数スペクトルが表示される。
【００４５】
図１に示したモード部１４により、連動制御部１５の連動機能がオンされている場合（連動モード）、編集対象の当該エフェクタ１１（ｘ）である、当該GEQ（x）が選択されると、それに連動して、選択されたエフェクタが挿入されているチャンネル部が連動CUEモニタされる。
この連動CUEモニタは、パネル上のCUEスイッチ４３ｄの操作により行われたCUEモニタではない。従って、意図しないCUEモニタとなる場合もあるから、連動CUEモニタにされる前の状態に簡単に戻せることが望まれる。
そこで、図５に示した、CUE UNDOボタン７８、CUE REDOボタン７９を設けてもよい。
CUE UNDOボタン７８を指示して反転させることにより、操作者の選択による元のCUEモニタ状態に戻せるようになっている。
その後、CUE UNDOボタン７８により取り消された連動CUEモニタを再実行したい場合は、CUE REDOボタン７９を指示して反転させればよい。
【００４６】
図６〜図１０は、図１に示した実施の一形態の動作例を説明するフローチャートである。
図４に示したCPU５２が制御プログラムに従い、カレントメモリに対する設定動作と、設定値のDSP６０への転送動作を行い、DSP６０は、設定値に従って信号の特性制御および混合処理を行う。
上述した制御プログラムは、電源投入後、初期設定を行う。「画面制御タスク」、「パネル操作子制御タスク」、「メモリ制御タスク」、「DSP制御タスク」、「その他の制御タスク」が実行される。各タスクは、それぞれ、各種のイベントにより駆動される。
【００４７】
図６（ａ）は、レイヤセクション部４４のj番目のレイヤSW（j＝0：マスタ、1：レイヤ1、2：レイヤ2、…）が操作されたときに実行されるオンイベント処理のフローチャートである。
Ｓ９１において、カレントメモリにおいて、現レイヤナンバを記憶するレジスタLNにレイヤSWの番号jを入れる。
Ｓ９２において、レイヤセクション部４４では、レジスタLNに記憶された現レイヤナンバに対応したレイヤSWのみを点灯させる。
Ｓ９３において、現レイヤナンバのレイヤ中に、chオン状態のチャンネルが含まれていれば、このチャンネルが割り当てられたchストリップ４３上のchオンスイッチ４３ａを点灯させる。
また、オン状態のCUEチャンネルが含まれていれば、このCUEチャンネルが割り当てられたchストリップ４３上のCUEスイッチ４３ｄを点灯させる。
また、現レイヤナンバのレイヤ中に含まれている各チャンネルの音量パラメータに応じた位置になるように、各チャンネルが割り当てられたchストリップ４３上のchフェーダ４３ｂの摘み４３ｃをモータ駆動で制御する。
【００４８】
図６（ｂ）は、chフェーダ（i）（図３に示したchフェーダ４３ｂ）が操作されたときに実行される操作イベント処理のフローチャートである。iは、そのchフェーダ（i）が属するchストリップの番号（i＝1，2，3，…12）である。
Ｓ１０１において、chフェーダ（i）の摘み４３ｃの位置に応じて、レジスタLNに記憶された現レイヤにおける、chストリップ（i）に割り当てられた番号CH（LN，i）のチャンネルの、カレントメモリに記憶された音量パラメータを変更する。
Ｓ１０２において、図１に示される信号処理のうち、上述した番号CH（LN，i）のチャンネルの信号ゲインが、変更された音量パラメータに応じたものとなるようにDSP６０を制御する。
【００４９】
図６（ｃ）は、chストリップ（i）のCUEスイッチ（i）（図３に示したCUEスイッチ４３ｄ）が操作されたときに実行されるオンイベント処理のフローチャートである。
Ｓ１１１において、カレントメモリにある、CUEモニタするチャンネルの番号を記憶するレジスタccに、CUEスイッチ（i）の操作がなされたchストリップ（i）に割り当てられているチャンネルの番号CH（LN，i）を入れる。ここで、チャンネル番号CH（LN，i）は、入力チャンネルと出力チャンネルに通しで付与されており、また、チャンネル番号CH（LN，i）＝0は、いずれのチャンネルも選択されていない（NO ASSIGN）ことを示す。
Ｓ１１２において、ccに記憶されたCUEモニタするチャンネルの番号がccoに記憶されたCUE モニタするチャンネルの番号に等しいか否かを判定する。ccoは、直前にCUEモニタされたチャンネルの番号を記憶するレジスタである。
【００５０】
等しければ、直前にCUEモニタされたチャンネルの割り当てられたchストリップのCUEスイッチが続けて操作されたことになる。
従って、Ｓ１１３に処理を進めて、ccおよびccoにゼロを入れて、CUEのオン/オフ状態を反転させる。CUE CH（CUEチャンネル）の番号0は「CUEオフ状態」を示している。
Ｓ１１５において、全てのCUEスイッチ４３ｄを消灯する。
Ｓ１１６において、モニタ用ミキサ１８から、モニタ対象選択操作に応じて選択されている信号が出力されるように、DSP６０を制御する。
【００５１】
一方、Ｓ１１２において、ccとccoとが等しくなければ、Ｓ１１４に処理を進め、cco←ccとして、今回CUEモニタするCUE CHの番号をレジスタccoに入れる。Ｓ１１７において、ccの示すチャンネルが割り当てられたchストリップ４３のCUEスイッチ４３ｄを点灯し、それ以外のCUEスイッチ４３ｄを消灯する。
Ｓ１１８において、ccの示す単一のCUE CHのCUEポイントの信号が、CUEバス６を介してモニタされるよう、DSP６０で実行されている信号処理中の各入力チャンネル部４、ミックス出力チャンネル部７のCUEスイッチ４ｂまたは７ｂ、モニタ用ミキサ１８を制御する。
以上、図６（ａ）〜図６（ｃ）に示した処理は、次の図７〜図１０に示すエフェクタ編集設定処理が実行中であるか否かにかかわらず、それぞれの起動条件が満たされれば実行されるものである。
【００５２】
図７は、GEQ編集ボタンのオンイベント処理のフローチャートである。
図示しないGEQアサイン画面においてGEQ編集ボタンがオン操作されたとき、あるいは、図３に示したディスプレイアクセス部４１にあるGEQ編集スイッチがオン操作されたときに実行されるイベント処理である。
Ｓ１２１において、図５に示されるGEQ編集画面７１を表示する。ここで、編集対象の当該GEQ（x）の番号xを記憶するレジスタxには、このGEQ編集画面７１が前回表示されたときなどにおいて、最後に編集対象となっていた当該GEQ（x）の番号x（x＝1，2，…，12）が記憶されている。
【００５３】
Ｓ１２２において、パラメータ変更操作があれば、Ｓ１２３において、パラメータ変更処理を行い、Ｓ１２４に処理を進める。パラメータ変更操作とは、図３のカーソルスイッチ４５ａ〜４５ｄ、DECスイッチ４６、INCスイッチ４７、ロータリーエンコーダ４８、ENTERスイッチ４９等により、図５のGEQ編集画面７１上の各種ボタン、フェーダ等を操作することである。
Ｓ１２３における３種類の主要なパラメータの変更操作とその処理については、図８〜図１０を参照して後述する。
パラメータ変更操作がなければＳ１２４に処理を進め、図３に示したディスプレイアクセス部４１の中にあるスイッチ操作等により表示画面切換操作があれば別の画面に移動させるが、そうでなければＳ１２２に処理を戻す。
【００５４】
図８は、図５に示した挿入チャンネル選択ボタン７５に関連して説明した、当該GEQ（x）の挿入先のチャンネル選択操作に応じて実行されるイベント処理のフローチャートである。
Ｓ１３１において、選択操作により選択された挿入先チャンネルの番号を、カレントメモリ上のレジスタICH（x）に入れる。
Ｓ１３２において、図５に示した、挿入先チャンネルの番号を表示する表示部７６を更新する。
Ｓ１３３において、この挿入先チャンネルの番号がゼロ（NO ASSIGN）か否かを判定する。
ゼロであれば、Ｓ１３４に処理を進め、当該GEQ（x）の機能が停止されるようにDSP６０を制御する。
【００５５】
挿入先チャンネルの番号がゼロでなければ、Ｓ１３５に処理を進め、当該GEQ（x）のオンオフを示すレジスタがオンに設定されているか否かを判定する（図５に示したエフェクタ・オン・ボタン７７によってオンオフされる）。
オンに設定されていれば、Ｓ１３６に処理を進め、当該GEQ（x）がICH（x）のチャンネル部の挿入ポイントに挿入されるように、DSP６０を制御する。
オンに設定されていなければ、Ｓ１３７に処理を進め、当該GEQ（x）がICH（x）の示すチャンネル部の挿入ポイントに挿入されるようにするものの、信号が当該GEQ（x）を「スルー」される（そのまま通過する）ように、DSP６０を制御する。
【００５６】
なお、Ｓ１３４におけるように、ICH（x）の示す挿入先チャンネルの番号がゼロ（NO ASSIGN）であったり、Ｓ１３７におけるように、当該GEQ（x）がオフに設定されていたりする場合でも、当該GEQ（x）の動作に必要とされるパラメータは、カレントメモリに記憶されている。
従って、その後、ICH（x）に、有効なチャンネルの番号が設定されたり、当該GEQ（x）がオンに設定されたりすれば、DSP６０では、カレントメモリに記憶されているパラメータを用いて、当該GEQ（x）の信号処理を直ちに開始することができる。
【００５７】
図９は、図５のGEQ選択ボタン７３に関連して説明した、編集対象の当該GEQ（x）を選択する操作に応じて実行されるイベント処理のフローチャートである。
Ｓ１４１において、選択操作された当該GEQ（x）の番号をカレントメモリ上のレジスタxに入れる。
Ｓ１４２において、GEQ編集画面７１上の各種ボタン、フェーダ、周波数特性のグラフ表示等が、カレントメモリに記憶された当該GEQ（x）のパラメータに応じて更新されるとともに、xの示す番号に応じて、表示部７４の表示が更新される。
Ｓ１４３において、エフェクタ（GEQ）機能とCUEモニタ機能とを連動させる連動モードになっているか、連動させない非連動モードになっているかを判定する。
モードは予め設定されているものとする。例えば、ディスプレイアクセス部４１の所定のスイッチ操作に応じて表示器４２に表示される、図示しないプレファレンス設定画面において、操作者の操作に応じて、いずれか一方に設定することができる。
【００５８】
連動モードでないときは、このフローを終了する。
連動モードであるときは、Ｓ１４４において、選択操作された当該GEQ（x）の挿入先のチャンネルが無い（ICH（x）＝0：NO ASSIGN）か否かを判定する。挿入先のチャンネルがあるとき（ICH（x）≠0）はＳ１４５に処理を進める。ここで、ICH（x）は、図７に示した、GEQ編集ボタンのオンイベントがある以前に、最後に編集対象となっていた当該GEQ（x）の挿入先のチャンネル番号、あるいは、GEQ編集ボタンのオンイベント後、図８に示した挿入ch選択操作のイベントによりＳ１３１で設定された挿入先のチャンネル番号である。
【００５９】
Ｓ１４５において、ICH（x）が示す挿入先チャンネルの番号をレジスタccおよびccoに入力することにより、ICH（x）が示す挿入先チャンネルの番号のチャンネル部をCUEモニタ対象のチャンネル部として、図６（ｃ）を参照して説明したCUEスイッチ（i）のオンイベント処理と同等の処理が実行される。
すなわち、ICH（x）が示す挿入先チャンネル部の取り出し位置（CUEポイント）の信号が、当該GEQ（x）の選択操作に連動してCUEモニタ（連動CUEモニタ）される。ただし、図６（ｃ）のＳ１１２に相当する判断は行われないで、Ｓ１１７，Ｓ１１８に対応したＳ１４６，Ｓ１４７の処理を行う。
言い換えれば、直前がどういう状態かにかかわらず、ICH（x）が示す挿入チャンネル部のCUEスイッチ４ｂまたは７ｂがオンされることになるとともに、モニタ用ミキサ１８が「CUEオン状態」に設定され、ICH（x）が示す挿入先チャンネル部の取り出し位置（CUEポイント）の信号が、CUEバス６とモニタ用ミキサ１８を介して、操作者用モニタに出力される。
【００６０】
なお、図１を参照して説明したように、ディジタルミキサ装置が連動モードであれば、選択操作された当該エフェクタ１１（ｘ）（GEQ（x））のエフェクタ・オン・スイッチ１１ａ（ｘ）（図５に示したエフェクタ・オン・ボタン７７）がオフであっても、当該エフェクタ１１（ｘ）（GEQ(x)）の挿入チャンネル（ICH(x)）のCUEポイントの信号がCUEモニタされる。
一方、Ｓ１４４において選択操作された当該GEQ（x）の挿入先のチャンネルが「NO ASSIGN」（ICH（x）＝0）であったときは、モニタ部に対する制御を行わないで、このフローを終了する。
【００６１】
図１０は、編集対象である当該GEQ（x）のパラメータを編集して信号の特性を変化させる編集操作の一例である。
図５に示したGEQ編集画面７１の31の周波数帯域に対応した31本のイコライザ・フェーダのうち、k番目のEQフェーダ（k）の摘みが操作された際に実行されるイベント処理のフローチャートである。
Ｓ１５１において、カレントメモリに記憶されている、当該GEQ（x）のk番目の周波数帯域のゲインのパラメータ値を、操作された当該EQフェーダ（k）の摘み位置に応じて更新し、Ｓ１５２において、図５のGEQ編集画面７１の当該GEQ（x）の周波数特性のグラフ表示や当該EQフェーダ（k）の摘みの表示を更新する。
Ｓ１５３において、当該GEQ（x）の周波数特性が、更新されたゲイン値に応じた周波数特性となるように、該ゲインに応じてDSP６０を制御する。
【００６２】
上述した実施の形態では、連動モードが設定されエフェクタ編集設定部１２が起動されているときに編集対象の当該エフェクタ１１（ｘ）である当該GEQ（x）が選択操作されたときは、当該GEQ（x）が挿入されている先のチャンネル部の信号をモニタ出力させていた。
このような場合に加えて、図７を参照して説明した、GEQ編集ボタンのオンイベントが検出されることにより、エフェクタ編集設定部１２が起動されたときに、編集対象の当該GEQ（x）が挿入されているチャンネルがあれば、この挿入されているチャンネル部（入力チャンネル部４または出力チャンネル部７）の信号をCUEモニタ出力させるようにしてもよい。
また、図８を参照して説明した、挿入ch選択操作のイベントが検出されることにより、編集対象の当該GEQ（x）の挿入先のチャンネル部が選択されたときは、選択されたこの挿入先のチャンネル部（入力チャンネル部４または出力チャンネル部７）の信号をモニタ出力させるようにしてもよい。
【００６３】
なお、連動モードに設定されている場合、編集対象の選択操作に応じて当該GEQ（x）が選択されたとき、既に、この当該GEQ（x）が挿入されているチャンネル部の信号がモニタ出力されている状態であった場合には、モニタ手段に対する新たな処理をする必要は特にない。
図１に示した連動制御部１５が、編集対象の当該エフェクタ１１（ｘ）の挿入されているチャンネル部の信号をモニタ出力するようモニタ設定部１７を制御するとは、このような結果的に新たな処理をする必要がない場合を含む。
【００６４】
上述した説明では、エフェクタの挿入対象として、入力チャンネルch1〜ch48と出力チャンネルMIX1〜MIX12が選択できるようになっていたが、入力チャンネルのみがエフェクタの挿入対象として選択できるようになっていてもよい。その場合、挿入対象として入力チャンネルが選択されていなければ、何れのチャンネルも挿入されていない状態（NO ASSIGN）となる。
上述した説明では、エフェクタの挿入位置はチャンネル毎に独立、または、全チャンネル共通に設定されるとしたが、エフェクタ毎に挿入位置を設定するようにしてもよい。
上述した説明では、説明を簡単にするために、図１において、出力系としてミックスバス５のみを備えているが、ステレオミックスバスや、マトリックスバスなどを備える場合がある。
この場合、エフェクタを、それらのバスのミックス出力チャンネル部７へ挿入することが可能である。
【００６５】
上述した説明では、「ラストCUE」の動作についてのみ具体的に説明した。しかし、同様の機能は、「ミックスCUE」においても実現できる。
「ミックスCUE」では、同じグループ内のチャンネル部がCUEモニタ対象として順次選択された場合、その選択された複数のチャンネル部が同時にCUEモニタされる。
図３においては、入力チャンネル部４のグループ、ミックス出力チャンネル部７のグループがある。この他、複数のステレオミックス部、複数のマトリックス出力部も、それぞれ、グループを構成する。
【００６６】
「CUEオフ状態」において、あるchストリップのCUEスイッチ４３ｄが操作されたとき、すなわち、そのchストリップに割り当てられているチャンネルがCUEモニタ対象として選択されたとき、モニタ用ミキサ１８を「CUEオフ状態」から「CUEオン状態」に移行させるとともに、その選択されたチャンネルのCUEスイッチ４ｂまたは７ｂがオンされる。
また、「CUEオン状態」において、CUEスイッチ４３ｄがオフ状態のchストリップのCUEスイッチ４３ｄが操作されたとき、すなわち、現在、CUEモニタ対象として選択されているチャンネルとは別のチャンネルが新たに選択されたとき、新たに選択されたチャンネルが、それまでCUE対象として選択されていたチャンネルと同一グループであれば、そのCUEスイッチ４ｂまたは７ｂをオン状態に保ったままにする。
【００６７】
また、新たに選択されたチャンネルが、異なるグループであれば、そのCUEスイッチ４ｂまたは７ｂをクリア（オフ）しつつ、その新たに選択されたチャンネルのCUEスイッチ４ｂまたは７ｂをオンにする。
さらにまた、「CUEオン状態」において、CUEスイッチ４３ｄがオン状態のchストリップのCUEスイッチ４３ｄが操作されたとき、すなわち、現在、CUE対象として選択されているチャンネルが再び選択されたとき、そのチャンネルのCUEスイッチ４ｂまたは７ｂがオフされる。すなわち、この「ミックスCUE」においても、既にオンされているCUEスイッチ４３ｄが操作されたときは、そのCUEスイッチ４３ｄはオフされる。
この時点で他にCUEスイッチ４ｂまたは７ｂがオンにされているチャンネルが存在しなければ、モニタ用ミキサ１８を「CUEオン状態」から「CUEオフ状態」に移行させる。
【００６８】
上述した「ミックスCUE」の場合、連動モードにおいて、モニタ用ミキサ１８が「CUEオフ状態」で、エフェクタ編集設定部１２が起動されていてGEQ編集画面７１が開いている状態において、編集対象として当該GEQ（x）が選択操作されたときは、「CUEオン状態」に移行させるとともに、当該GEQ（x）の挿入先のチャンネル部（ICH（x）が挿入先チャンネルの番号を示す）のCUEスイッチ４ｂまたは７ｂをオンして、当該挿入先のチャンネルの信号がCUEモニタされるよう制御する。これは、「ラストCUE」の場合の動作とほぼ同じである。
【００６９】
一方、連動モードにおいて、「CUEオン状態」（いずれかの１または複数のチャンネルがCUEモニタされている状態）で、エフェクタ編集設定部１２が起動されていてGEQ編集画面７１が開いている状態において、編集対象として当該GEQ（x）が選択された場合は、その挿入先のチャンネル部がいずれのグループに属しているかにかかわらず、それまでオン状態であったCUEスイッチ４ｂまたは７ｂを全てオフにして、それまでのミックスCUEの状態をクリアし、挿入チャンネルのCUEスイッチのみをオンにして、当該挿入チャンネルの信号が、「ミックスCUE」における１つ目のCUEチャンネルとして連動CUEモニタされるように制御する。
なお、ディジタルミキサ装置が非連動モードであるとき、あるいは、挿入先のチャンネルが「NO ASSIGN」（ICH（x）＝0）であるときは、「ラストCUE」と同様に、現在のCUEの状態（CUEスイッチ４ｂ，７ｂのオン/オフ状態、および、モニタ用ミキサ１８のCUEオン/オフ状態）を変更しない。
【００７０】
上述した説明では、信号処理部の信号経路に挿入されるエフェクタの一例として、グラフィック・イコライザを示したが、信号の特性を変更するものであれば、これに限られない。コンプレッサ、エコー、リバーブ、ディストーション等のエフェクタであってもよい。
また、挿入先のチャンネルが設定されていない（ICH（x）＝0：NO ASSIGN）エフェクタについては、通常のパッチングのように、任意にパッチング可能としてもよい。例えば、任意のミックス出力チャンネル部７の出力を、出力パッチ部８で、上述したエフェクタの入力側へパッチし、かつ、このエフェクタの出力側を、入力パッチ部３で、任意の入力チャンネル部の入力側へパッチするようにして、ミックス出力チャンネル部７と入力チャンネル部４にまたがって、エフェクタが挿入されるようにしてもよい。
【００７１】
また、上述した説明では、編集対象のエフェクタの選択に連動してCUEモニタ機能を制御することにより、当該エフェクタの挿入チャンネルの信号をCUEモニタするようになっていた。
これに代えて、編集対象のエフェクタの選択に連動して、当該エフェクタの挿入チャンネルを通常のモニタ対象として選択するようにしてもよい。しかし、本発明のようにCUEモニタ機能で実現すれば、通常のモニタ対象の設定状態が保存されているので、特別な設計変更を施さなくても、通常のモニタ対象に戻せるので使いやすい。
また、パーソナルコンピュータ上で実行されるディジタル・オーディオ・ワークステーション（DAW）ソフトウエア等には、オーディオ信号をミキシングするソフトウエアミキサが備えられている。本発明は、そのような、ソフトウエアミキサに対して適用することもできる。
【図面の簡単な説明】
【００７２】
【図１】本発明の実施の一形態であるディジタルミキサ装置の信号処理あるいは機能のブロック図である。
【図２】図１に示した入力チャンネル部、ミックス出力チャンネル部の各１チャンネルの信号処理部を示すブロック構成図である。
【図３】図１に示した実施の一形態のコントロールパネルの一部を示す説明図である。
【図４】図１に示した信号処理または機能を実現するディジタルミキサ装置のハードウェア構成の一例を示すブロック構成図である。
【図５】図１に示した実施の一形態において、エフェクタを編集設定する一具体例を示す表示画面の説明図である。
【図６】図１に示した実施の一形態の動作例を説明する第１のフローチャートである。
【図７】図１に示した実施の一形態の動作例を説明する第２のフローチャートである。
【図８】図１に示した実施の一形態の動作例を説明する第３のフローチャートである。
【図９】図１に示した実施の一形態の動作例を説明する第４のフローチャートである。
【図１０】図１に示した実施の一形態の動作例を説明する第５のフローチャートである。
【符号の説明】
【００７３】
４…入力チャンネル部、４ａ…エフェクタ挿入位置、４ｂ…CUEスイッチ、７…ミックス出力チャンネル部、７ａ…エフェクタ挿入位置、７ｂ…CUEスイッチ、１１…エフェクタ、１１ａ…エフェクタ・オン・スイッチ、１２…エフェクタ編集設定部、１３…パッチ制御部（エフェクタ挿入設定部）、１４…モード部、１５…連動制御部、１６…モニタ部、１７…モニタ設定部、１８…モニタ用ミキサ、１９…モニタ用Ａ出力部
【図１】
2006033166.tif 000003
【図２】
2006033166.tif 000004
【図３】
2006033166.tif 000005
【図４】
2006033166.tif 000006
【図５】
2006033166.tif 000007
【図６】
2006033166.tif 000008
【図７】
2006033166.tif 000009
【図８】
2006033166.tif 000010
【図９】
2006033166.tif 000011
【図１０】
2006033166.tif 000012